(57)【特許請求の範囲】
【請求項１】
情報表示機能と情報入力機能を有し表示部を備えた情報通信端末装置の機能を拡張する拡張機能ユニットにおいて、
前記拡張ユニットに前記情報通信端末装置との係合部を有し、
前記係合部で前記情報通信端末装置を挟持し、
前記情報通信端末装置の両側面を挟持する凸部形状を前記拡張機能ユニットの筐体に設け、
前記情報通信端末装置に面する背面ケースと、前記凸部形状を一体に有する部材にて、前記拡張機能ユニットの筐体とし、
前記拡張機能ユニットの機能の内容にかかわらず前記背面ケースを共通として、前記拡張機能ユニットの機能の内容に応じて前記凸部形状を一体に有する部材を変更することを特徴とする情報通信端末装置の拡張機能ユニット。
【発明の詳細な説明】
【０００１】
【発明の属する技術分野】
本発明はパーソナル  デジタル  アシスタント（Personal Digital Assistant以下ＰＤＡと称す）のように手のひらに載る小型軽量で携帯性を有し、無線ＬＡＮ等の無線機能内蔵により各種情報サービスの提供が得られるよう構成した情報通信端末装置に関するものである。特に本発明はメモリーカードの挿入機能、あるいは電池（以下バッテリと称す）の容量増大などの拡張機能を付加した拡張機能ユニットとの装着と、それらの保持に好適な架台（以下クレードルと称す）を含む情報通信端末装置に関する。
【０００２】
【従来の技術】
情報通信端末装置は近年一般的にＰＤＡの呼称で発展を遂げてきている。その主な用途はスケジュール管理（Personal Information Management）、Ｗｅｂ検索、電子メール等、多岐に亙る機能の充実が図られている。ところで、ＰＤＡはその携行性を重視しているため、文字、数や形状キャラクタを表示するための液晶表示パネルを極力大きく、また必要最小限の操作ボタンと送受信機能、およびそれらの信号処理回路と容量の少ないバッテリを内蔵して、小型軽量化を行っている。
【０００３】
一般的な使用シーンとしてはＰＤＡ本体に一体的に設けたカードスロットに各機能を有するカードを装着して外出時に携行する。そして使用者は帰宅後あるいはオフィスで、机上のクレードルにセットし充電あるいはパーソナルコンピューター(以下、ＰＣと略す)とデータ連携して使用する。クレードルは単純な架台として、あるいは充電台として使用するものであった。
【０００４】
ところで、ＰＤＡのような情報通信端末装置はさらなる高機能化、たとえばＳＤ（Secure Digital）カードやＣＦ（Compact Flash）カードなどの記憶媒体の複数使用、また高機能化に伴う消費電力の増大に対応するためバッテリの拡充が望まれている。
【０００５】
これら拡張機能として電源用バッテリを付加した例としては、特開２０００−１３４８３号公報がある。この例では携帯型電子機器のバッテリが消耗した緊急時に補助バッテリを使用するものである。
【０００６】
ところで、情報通信端末装置を机上で使用する時にその表示パネルを斜めにした傾斜設置が使用上便利である。この公知例としては特開平１０−３３６９０６号公報が傾斜設置を開示している。しかし、この傾斜設置の状態で特開２０００−１３４８３号公報の拡張機能としての補助バッテリを情報通信端末装置に装着することは、特開平１０−３３６９０６号公報のようにクレードルに設けた案内体がある為に、その取り付けができない。
【０００７】
そこで拡張機能ユニットを情報通信端末装置の背面に装着させる方法も容易に考えられる。ＰＤＡとしての、その公知例としては特開２０００−１７５３６５号公報が挙げられる。この例では携帯型電子機器の背面にプリンタやスキャナーを装着した状態でクレードルに収め、かつ傾斜設置を示している。
【０００８】
ところで、拡張機能は前記した様に種々の目的があり、その機能に応じたユニットのサイズは、最適な大きさがある。すなわち、ユニットの厚さは、その機能を拡張するために種々有り得る。しかし、特開２０００−１７５３６５号公報の例では、厚さの異なる拡張機能ユニットの場合、クレードルの傾斜面がそのユニットと干渉して、やはりクレードルに搭載できない問題が生ずる。
【０００９】
したがって、使い勝っての良い傾斜設置の情報通信端末装置をクレードルに保持した状態で、厚さの異なる各種拡張機能ユニットを装着できる構造的な配慮がされていなかった。
【００１０】
【発明が解決しようとする課題】
本発明の目的は、情報通信端末装置の利便性を向上するものである。より具体的に述べると、本発明の情報通信端末装置は、高機能化に対応した複数種のメモリーカードやバッテリ容量の増加を図る各種の厚さの拡張機能ユニットを装着可能とし、しかも使い勝っての良い傾斜設置を机上で安定にできるクレードルをも含め提供することにある。
【００１１】
本発明によれば、各種の拡張機能ユニットをＰＤＡである情報通信端末装置に装着した上でクレードルに保持し、クレードルに小型キーボード等を接続して情報通信端末装置をＰＣ代わりの親機として操作できるようになる。また使用者が屋外で使用する機能のみ携行情報通信端末装置本体に装備することで、情報通信端末装置自体を可及的軽量、かつ、より小型化できる。そして屋内で使用時は必要に応じた拡張機能ユニットを装着し、クレードルと共に使用すれば、より多機能化に対応可能で利便性が向上される。
【００１２】
【課題を解決するための手段】
本発明にかかる拡張機能ユニットは、情報表示機能と情報入力機能を有し表示部を備えた情報通信端末装置の機能を拡張するものであって、前記拡張ユニットに前記情報通信端末装置との係合部を有し、前記係合部で前記情報通信端末装置を挟持し、前記情報通信端末装置の両側面を挟持する凸部形状を前記拡張機能ユニットの筐体に設け、前記情報通信端末装置に面する背面ケースと、前記凸部形状を一体に有する部材にて、前記拡張機能ユニットの筐体とし、前記拡張機能ユニットの機能の内容にかかわらず前記背面ケースを共通として、前記拡張機能ユニットの機能の内容に応じて前記凸部形状を一体に有する部材を変更することを特徴とする。
【００１３】
【発明の実施の形態】
以下、本発明の一実施例を図面に基づき説明する。
【００１４】
図１、図２、図３は情報通信端末装置の外観を示すものである。図１は前面斜め上方から見た斜視図、図２は裏面下方から見た斜視図、図３は裏面上方から見た斜視図である。また図４は図１のＡ−Ａ断面、図５は図１の幅方向断面を示すものである。
【００１５】
情報通信端末装置１は、感圧素子（図示せず）で構成したタブレット２を前面に、またタブレット２の下部に液晶表示装置（ＬＣＤと称す）４からなる表示部を配置している。使用者はペン３を使用してタブレット２の表面で入力作業をし、また、文字、数字やキャラクタで表示された情報内容を確認するものである。
【００１６】
この情報通信端末装置１は、タブレット２および液晶表示装置４の周囲を覆う前面ケース５、裏面ケース６、制御基板８等を収納配置しているフレーム７と上側面にアンテナ（図示せず）を内蔵するアンテナケース９を設けている。すなわち情報通信端末装置１は前面ケース５、裏面ケース６、フレーム７、アンテナケース９の４部品構成で筐体を構成している。
【００１７】
次に、情報通信端末装置１の周囲の配置構成について説明する。
【００１８】
情報通信端末装置１の前面ケース５の上部５４には、情報通信端末装置１全体の電源をＯＮ／ＯＦＦする電源スイッチ１０、内蔵バッテリ１２の充電状態を示す充電ＬＥＤ１１、メール等の着信を示すアラームＬＥＤ１３、そしてヘッドフォンジャック１８とペン３の装備部がある。
【００１９】
情報通信端末装置１の片側側面５１ａにはメニュー表示、決定等を選択する回転動作とプッシュ動作が可能なジョグダイヤル１４、キャンセルボタン１５を近傍に設けてある。そこで、このジョグダイヤル１４とキャンセルボタン１５との並行操作により、ペン３による文字入力以外の全ての操作が、片手持ちで出来るようにソフトウエアも含め構成している。またこの側面にはＳＤカードスロット１６を設け、メモリーカードの他、ＧＰＳ（全地球測位システム）機能付カード、あるいはカメラ付カード等の装着であってもよい。ホールドボタン１７は、情報通信端末装置１の上部に設けたヘッドフォンジャック１８により音楽等を聞いている時のタブレット２の動作、電源スイッチ１０の動作、その他の動作を無効にするものである。
【００２０】
この片側側面５１ａには情報通信端末装置１の裏面ケース６とフレーム７間で形成する図５に示す凹溝３０ａがあり、これは後述する拡張機能ユニットとの装着に使用するものである。なお凹溝３０ａと同じ寸法形状で、前述の片側側面５１ａの反対側の片側側面５１ｂにも対称な凹溝３０ｂが配置してある。この凹溝３０ａ、３０ｂは情報通信端末装置１の下部５５の方向から上部５４に向かって伸延している。そして、この凹溝３０ａ、３０ｂは情報通信端末装置１のタブレット２とＬＣＤ４で構成する表示部と平行である。これは後述するが、情報通信端末装置１をクレードルに装填するさい、クレードルの成す傾斜角度と表示部の傾斜角度を一致させるように装填できるので、使用者はクレードルに容易に装填できる効果を持たせる為である。さらに、この凹溝３０ａ、３０ｂの情報通信端末装置１の下部５５側は、後述する拡張機能ユニットの一部形成部が挿入可能になるように開口部５３ａ、５３ｂを設けてある。なお凹溝３０ａ、３０ｂは裏面ケース６とフレーム７間で形成してあるが、裏面ケース６あるいはフレーム７等それぞれに形成することも可能である。
【００２１】
情報通信端末装置１の下部５５は、情報通信端末装置１のクレードル接続用コネクタ１９、ＤＣジャック２０とＵＳＢコネクタ２１および拡張機能ユニット接続用コネクタ２２を配置している。クレードル接続用コネクタ１９は、後述するクレードルと接続し、そしてＰＣとデータ連携するものである。またＤＣジャック２０は、ＡＣアダプタ単品使用時のＤＣジャックに使用する。後述のクレードル装着時はクレードルとクレードル接続用コネクタ１９とＤＣジャック２０の両方が共に接続結合できるように構成している。ＵＳＢ（Universal Serial Bus）コネクタ２１はキーボードやマウス等を接続操作できるものである。また拡張機能ユニット接続用コネクタ２２は、後述の各種拡張機能ユニットと接続するものであり、各種拡張機能ユニットに共通して接続できるものである。
【００２２】
情報通信端末装置１の内部は、タブレット２の下部に配置した液晶表示パネル（ＬＣＤ）４、情報処理基板８、この情報処理基板８の裏面に配した内蔵バッテリ１２、そして裏面に裏面ケース６の順番で配置している。さらにこの情報処理基板８とＬＣＤ４の間には、ＳＤカードスロット１６を設けている。
【００２３】
次に、本発明の主要構成要素の一つである拡張機能ユニットについて説明する。
この拡張機能ユニットとは、情報通信端末装置１がその携行性を重視して小型、軽量化を図っているため、情報通信端末装置１には基本機能のみを装備している。そして、使用者は使用シーンに応じて必要な機能を拡張するために、拡張機能ユニットを選択的に装着して使用するものである。
【００２４】
その拡張機能ユニットの第一の実施例として、ＣＦカード拡張機能ユニットにつて図６〜図８を用いて説明する。
【００２５】
図６はＣＦカード拡張機能ユニット２３の情報通信端末装置１に装着する面側から見た斜視図、図７はその長手断面図、図８は幅方向断面図を示すものである。
【００２６】
ＣＦカード拡張機能ユニット２３は上ケース２４、拡張機能ユニット背面ケース２５を筐体として、その両ケース間にはＣＦコネクタ基板２６を設け、ＣＦカードコネクタ２７と補助バッテリ２８を実装配置している。この補助バッテリ２８は各種の機能を持つＣＦカード使用時の駆動時間を確保するためにＣＦカードコネクタ２７の実装スペース以外の部分を利用して配置している。このＣＦコネクタ基板２６の下端部には、情報通信端末装置１の拡張機能ユニット接続用コネクタ２２と結合するための拡張機能ユニットコネクタ２９が設けてある。この拡張機能ユニットコネクタ２９は、情報通信端末装置１とこの拡張機能ユニットを一体型の状態で使用できるようにデータ伝送用のものである。
【００２７】
次にこのＣＦカード拡張機能ユニット２３と情報通信端末装置１の装着方法について図６〜図８及び図９で説明する。
【００２８】
ＣＦカード拡張機能ユニット２３の上ケース２４は凸部３１ａ、３１ｂを一体的に形成する。この凸部３１ａ、３１ｂは情報通信端末装置１の側面５１ａ、５１ｂの凹溝３０ａ、３０ｂと嵌合する位置関係にある。そしてこのＣＦカード拡張機能ユニット２３の凸部３１ａ、３１ｂは、情報通信端末装置１の下部５５側に設けた開口部５３ａ、５３ｂから凹溝３０ａ、３０ｂに挿入する。さらに凸部３１ａ、３１ｂは凹溝３０ａ、３０ｂをスライドさせ、情報通信端末装置１とＣＦカード拡張機能ユニット２３を結合させる。このとき、凸部３１ａ、３１ｂの情報通信端末装置１の長手方向位置は、概ね情報通信端末装置１の長さに対しほぼ中央部に位置している。そして拡張機能ユニットコネクタ２９と情報通信端末装置１の拡張機能ユニット接続用コネクタ２２がそのスライド係合に伴い同時結合できる。
【００２９】
この凸部３１ａ、３１ｂはＣＦカード拡張機能ユニット２３の長手方向（図７のＱ方向）において、ＣＦユニット上ケース２４の略中央付近に設けてある。その凸部３１ａ、３１ｂの長さは情報通信端末装置１とＣＦカード拡張機能ユニット２３を結合した後の操作取扱時の強度を確保するように設計できる。
【００３０】
すなわち、本発明の実施例では情報通信端末装置１の長手方向（図７のＱ方向）の長さ約１００ｍｍ、厚さ約２０ｍｍ、幅が約８０ｍｍ、凹溝３０ａ、３０ｂの長さ約７０ｍｍで重さ約１.６Ｎ（重量グラムで約１６０ｇｆ）であるが、ＣＦカード拡張機能ユニット２３の厚さ（上ケース２４から拡張機能ユニット背面ケース２５を含む厚さ、図７のＴ）は約１０ｍｍ、重さ約０.７Ｎ（重量グラムで約７０ｇｆ）なので、凸部３１ａ、３１ｂ長さは約２５〜３０ｍｍで実用上許容できる強度になる。
【００３１】
以上の構成により情報通信端末装置１とＣＦカード拡張機能ユニット２３を装着した状態で情報通信端末装置１の下側５５に残る未使用の凹溝３０ａ、３０ｂを、後述するクレードルとの勘合用凹溝３２ａ、３２ｂとして使用できる。本発明の第一の実施例は、この残る凹溝３２ａ、３２ｂ（長さ約３５ｍｍ）を、後述のクレードルと結合するように構成したものである。
【００３２】
同様に他の拡張機能ユニットとして第二の実施例について説明する。図１０はＰＣカード拡張機能ユニット３３の情報通信端末装置１に装着する面側から見た斜視図、図１１はその断面図を示すものである。このＰＣカード拡張機能ユニット３３の構造の要点は、上述のＣＦカード拡張機能ユニット２３と同一思想にて拡張できるようにしたものである。
【００３３】
このＰＣカード拡張機能ユニット３３は、上ケース３６とＣＦカード拡張機能ユニット２３と同じ拡張機能ユニットの背面ケース２５を筐体とし、その両ケース間にＰＣカードコネクタ基板３４を設け、その基板にＰＣカードコネクタ３５を実装配置したものである。さらに、ＰＣカードコネクタ基板３４の下端部には、情報通信端末装置１の拡張機能ユニット接続用コネクタ２２と結合するための拡張機能ユニットコネクタ２９を設けてある。これらの拡張機能ユニット接続用コネクタ２２と拡張機能ユニットコネクタ２９を結合することで、この情報通信端末装置１が機能を付加した状態で使用できる。
【００３４】
ところで、このＰＣカード拡張機能ユニット３３の上ケース３６には、先のＣＦカード拡張機能ユニット２３の凸部３１ａ、３１ｂと同様に凸部６１ａ、６１ｂを設けてある。この凸部６１ａ、６１ｂは先のＣＦカード拡張機能ユニット２３と情報通信端末装置１の装着と同様に行うものである。すなわち、情報通信端末装置１の側面５１ａ、５１ｂの凹溝３０ａ、３０ｂに、この凸部６１ａ、６１ｂを嵌合させ、凹溝３０ａ、３０ｂに沿ってスライドさせる。このとき、凸部３１ａ、３１ｂの情報通信端末装置１の長手方向位置は、概ね情報通信端末装置１の長さに対しほぼ中央部に位置している。そして、ＰＣカード拡張機能ユニット３３は、情報通信端末装置１に装着できる。
【００３５】
なお、ＰＣカード拡張機能ユニット３３の上ケース３６は、その機能による部品の形状あるいはサイズに応じて厚さ方向の寸法対応で最適サイズに設計しているものである。このＰＣカード拡張機能ユニット３３は厚さ（上ケース３６から拡張機能ユニット背面ケース２５を含む厚さ、図１１のＵ）は約９ｍｍ、重さ約０.６Ｎ（重量グラムで約６０ｇｆ）なので、第一実施例のＣＦカード拡張機能ユニット２３の凸部３１ａ、３１ｂ長さ同様に約２５〜３０ｍｍで実用上許容できる強度である。
【００３６】
以上の構成により情報通信端末装置１とＰＣカード拡張機能ユニット３３を装着した状態で情報通信端末装置１の下側５５に残る未使用の凹溝３０ａ、３０ｂを、後述するクレードルとの勘合用凹溝３２ａ、３２ｂとして使用できる。本発明の第二の実施例は、この残る凹溝３２ａ、３２ｂ（長さ約３５ｍｍ）を、後述のクレードルと結合するように構成したものである。
【００３７】
更に、他の拡張機能ユニットとして第三の実施例について説明する。図１２はバッテリ拡張機能ユニット３７を情報通信端末装置１に装着する面側から見た斜視図であり、図１３はその断面図を示すものである。このバッテリ拡張機能ユニット３７の構造の要点は、前述のＣＦカード拡張機能ユニット２３と同一思想にて拡張できるようにしたものである。
【００３８】
このバッテリ拡張機能ユニット３７は、上ケース４０とＣＦカード拡張機能ユニット２３と同じ拡張機能ユニットの背面ケース２５を筐体とし、その両ケース間にバッテリ拡張基板３８を設け、そのバッテリ拡張基板３８にバッテリ３９を実装したものである。さらに、バッテリ拡張基板３８の下端部には、情報通信端末装置１の拡張機能ユニットコネクタ２２と結合するための拡張機能ユニットコネクタ２９を設けてある。これらの拡張機能ユニットコネクタ２２と拡張機能ユニットコネクタ２９を結合することで、この情報通信端末装置１のバッテリ機能を増加した状態で使用できる。
【００３９】
ところで、バッテリ拡張機能ユニット３７の上ケース４０には、先のＣＦカード拡張機能ユニット２３の凸部３１ａ、３１ｂと同様に凸部７１ａ、７１ｂを設けてある。この凸部７１ａ、７１ｂは先のＣＦカード拡張機能ユニット２３と情報通信端末装置１の装着と同様に行うものである。すなわち、情報通信端末装置１の側面５１ａ、５１ｂの凹溝３０ａ、３０ｂに、この凸部７１ａ、７１ｂを嵌合させ、凹溝３０ａ、３０ｂに沿ってスライドさせる。このとき、凸部３１ａ、３１ｂの情報通信端末装置１の長手方向位置は、概ね情報通信端末装置１の長さに対しほぼ中央部に位置している。そして、バッテリ拡張機能ユニット３７は、情報通信端末装置１に装着できる。
【００４０】
なお、バッテリ拡張機能ユニット３７の上ケース４０は、その機能による部品の形状あるいはサイズに応じて厚さ方向の寸法対応で最適サイズに設計しているものである。このバッテリ拡張機能ユニット３７は厚さ（上ケース４０から拡張機能ユニット背面ケース２５を含む厚さ、図１３のＶ）は約１１ｍｍ、重さ約１.２Ｎ（重量グラムで約１２０ｇｆ）であるが、第一実施例のＣＦカード拡張機能ユニット２３の凸部３１ａ、３１ｂの長さ同様に約２５〜３０ｍｍで十分に実用上許容できる強度である。
【００４１】
以上の構成により情報通信端末装置１とバッテリ拡張機能ユニット３７を装着した状態で情報通信端末装置１の下側５５に残る未使用の凹溝３０ａ、３０ｂを、後述するクレードルとの勘合用凹溝３２ａ、３２ｂとして使用できる。本発明の第三の実施例は、この残る凹溝３２ａ、３２ｂ（長さ約３５ｍｍ）を、後述のクレードルと結合するように構成したものである。
【００４２】
次に本発明のクレードルの構成と情報通信端末装置１及び各種の拡張機能ユニット２３、３３、３７との装着保持について説明する。図１４はクレードル４１の単体であり、上方からの斜視図、図１５はクレードル４１で情報通信端末装置１を保持した斜視図、図１６はさらに拡張機能ユニット２３を装着した状態の斜視図、図１７は図１６の長手方向断面図、図１８は図１６の幅方向断面図（図１６のＣ−Ｃ断面）を示す。
【００４３】
クレードル４１は上側をクレードルケース４２、机上に載せる下側をクレードルカバー４３で筐体にしている。このクレードルケース４２内にはクレードルコネクタ４５を搭載したクレードル基板４４、ＵＳＢコネクタ４８、ＵＳＢケーブル４７とＤＣジャック４９を配置している。そしてクレードルケース４２には情報通信端末装置１の側面に形成された凹溝３０ａ，３０ｂの一部を成すクレードル勘合用凹溝３２ａ，３２ｂに嵌合うように、ＣＦカード拡張機能ユニット２３の凸部３１ａ、３１ｂと形状が同じクレードル勘合リブの凸部４６ａ、４６ｂを設けてある。このクレードル勘合リブの凸部４６ａ、４６ｂの伸延方向とクレードル４１の底面７３（クレードルカバー４３の底面）の成す平面の仰ぎ角は７５°にしてある。これは後述するクレードル４１と情報通信端末装置１を装填して保持したさいに、情報通信端末装置１の表示部を使用者の使い易い角度である７５°にする目的の為である。また、このクレードル４１はその底面７３において、クレードル４１を机上に接置したさいの前縁８０から後端部８１までの長さを凡そ７０ｍｍにしている。なおこのクレードル４１の形成材料は、成形のし易さからプラスチックモールドが好適であり、本発明の機能を損なうものではない。
【００４４】
次に、このクレードル４１と情報通信端末装置１の装着方法について説明する。
【００４５】
その装着時はクレードル勘合リブの凸部４６ａ、４６ｂを情報通信端末装置１の側面に形成したクレードル勘合用凹溝３２ａ，３２ｂに嵌合わせながら、凹溝３０ａ，３０ｂに沿ってスライドさせる。そして、凸部４６ａ、４６ｂの一部を成す係止部５０ａ、５０ｂに情報通信端末装置１の凹溝３０ａ、３０ｂの開口部５３ａ、５３ｂを停止させる。この装着でクレードルコネクタ４５と情報通信端末装置１のクレードル接続用コネクタ１９は接続できる。このさい、情報通信端末装置１のタブレット２とＬＣＤ４で構成する表示部の傾斜角度とクレードル勘合リブの凸部４６ａ、４６ｂの傾斜角度が平行になるように嵌合わせればよいので、使用者は容易に装填できる。
【００４６】
さらに次に、このクレードル４１と情報通信端末装置１及びＣＦカード拡張機能ユニット２３との装着方法について説明する。
【００４７】
情報通信端末装置１とＣＦカード拡張機能ユニット２３を前記第一の実施例に示す装着後、前記クレードル４１と情報通信端末装置１の装着方法と同様に、クレードル勘合リブの凸部４６ａ、４６ｂを情報通信端末装置１の側面に形成したクレードル勘合用凹溝３２ａ，３２ｂに嵌合わせながら、スライドさせ、係止部５０ａ、５０ｂにて停止させる。図１８はクレードル４１とＣＦカード拡張機能ユニット２３を装着した情報通信端末装置１との装着状態を示す断面図で、クレードル４１の凸部４６ａ、４６ｂがクレードル勘合用凹溝３２ａ，３２ｂに嵌合った状態を示している。なおこのさい、前記クレードル４１と情報通信端末装置１の装着の説明と同じく、ＣＦカード拡張機能ユニット２３を取り付けた情報通信端末装置１の表示部の傾斜角度とクレードル勘合リブの凸部４６ａ、４６ｂの傾斜角度が平行になるように嵌合わせればよいので、やはり使用者は容易に装填可能である。
【００４８】
以上説明した装着方法で図１５〜図１８に示すように、クレードル４１と情報通信端末装置１及びＣＦカード拡張機能ユニット２３とが装着される。この状態でクレードル４１を机上に設置することで、情報通信端末装置１のタブレット２とＬＣＤ４で構成する表示部の傾斜設置が可能になり、情報通信端末装置１の機能に加えＣＦカード拡張機能ユニット２３の機能まで含め動作可能となる。
【００４９】
なお前記は拡張機能ユニットとしてＣＦカード拡張機能ユニット２３にて説明したが、第二の実施例のＰＣカード拡張機能ユニット３３、第三の実施例のバッテリ拡張機能ユニット３７においても同様にできる。
【００５０】
さらに、クレードルケース４２に直付けあるいは着脱自在に設けられたＵＳＢケーブル４７をＰＣに接続して、情報通信端末装置１を子機としてＰＣ間でデータ連携できるよう構成できる。さらにまた、ＵＳＢコネクタ４８で図示しないＵＳＢキーボードやＵＳＢマウス等に接続すれば、情報通信端末装置１を親機としてより利便性の高い操作が机上でできるようになる。従って、本発明によれば外出先においてもキーボード等を接続して使用できるものである。
【００５１】
前記の本実施例において、クレードル４１はその内部の機能部品が少なく、且つその成形材料は重量の軽いプラスチックモールドである。そこで情報通信端末装置１と拡張機能ユニットとクレードル４１を組合せた重量は、ほほ情報通信端末装置１と拡張機能ユニットの重量になる。たとえば、ＣＦカード拡張機能ユニット２３の厚さ約１０ｍｍ、重さは約約０.７Ｎ（重量グラムで約７０ｇｆ）の場合、情報通信端末装置１の重さと合せ２.３Ｎになる。このときこのＣＦカード拡張機能ユニット２３を装着した情報通信端末装置１をクレードル４１に配置した状態で、クレードル４１はこの重さで転倒しないようにする必要がある。
【００５２】
いまＣＦカード拡張機能ユニット２３が装着されない状態して、情報通信端末装置１の重心からクレードル４１の底面７３に向け、図１７に示すように垂線を下ろすと、底面７３と交点７４で交差する。そして、ＣＦカード拡張機能ユニット２３を装着したときは、ＣＦカード拡張機能ユニット２３の重量による重心移動により、その移動した重心の垂線は図１７に示すＲ方向に移動する。本実施例の情報通信端末装置１とＣＦカード拡張機能ユニット２３は、その重心がそれぞれの形状の略中心にあるので、
拡張機能ユニットの重さをＷ１（＝０.７Ｎ）、厚さＬ（＝１０ｍｍ）
情報通信端末装置１の重さをＷ２（＝１.６Ｎ）、厚さＭ（＝２０ｍｍ）
情報通信端末装置１の表示部の成す平面と、クレードル４１の底面７３の成す平面の仰ぎ角Φ（＝７５°）とすると、
図１７に示すＲ方向の重心移動量Ｎは数２で示され、Ｎ≒４.４ｍｍである。
【００５３】
【数２】
0003912108.tif 000002
【００５４】
なお、数２でＣｏｓは余弦を意味する。
【００５５】
ここで、数２を簡単にする為、Ｗ１とＷ２の比をＷＫとし、ＷＫ＝Ｗ１÷Ｗ２とすると
【００５６】
【数３】
0003912108.tif 000003
【００５７】
なお、数３でＳｉｎは正弦を意味する。
【００５８】
すなわち、情報通信端末装置１のみをクレードル４１に配置したときの、情報通信端末装置１の重心垂線の交点７４から、ＣＦカード拡張機能ユニット２３を装着すると、その重心の垂線とクレードル４１の底面７３の交点は交点７４からＲ方向に約４〜５ｍｍ移動する。ところで、本実施例の図１７の場合は交点７４からクレードル４１の後端部８１までの長さが約２８ｍｍに設計してあるので、このクレードル４１に、情報通信端末装置１とＣＦカード拡張機能ユニット２３を配置しても転倒することなく、安定に保持できる。なお、図１７の底面７３に滑り止め用足８３が下に伸びているが、この突起高さは約０.５ｍｍ以下であるので、転倒防止に寄与する位置はこの後端部８１になる。しかし底面７３がクレードルカバー４３の底面にならない滑り止め用足８３の高いものを使用した場合は、後端部８１が実質滑り止め用足８３の部分になる。すなわち後端部８１は情報通信端末装置１やＣＦカード拡張機能ユニット２３をクレードル４１に搭載した状態で、後ろに転倒するさいの支点を意味する。
【００５９】
また、この底面７３はクレードルカバー４３の底面に限らない。たとえば、クレードル４１の後端部のみ他の実施例として、図１９はクレードルケース４２の後部を延ばし、後端部８２を交点７４からＲ方向に離れる点にして、より転倒に対する安定性を増したものである。
【００６０】
次にバッテリ拡張機能ユニット３７を情報通信端末装置１に装着し、クレードル４１に組立て装填した場合についても検討してみる。
【００６１】
バッテリ拡張機能ユニット３７はバッテリ３９が重いので、その重さは約２Ｎ（約２００ｇｆ）で厚さは約１０ｍｍである。この場合Ｎ≒８ｍｍであるが、前述したように交点７４からクレードル４１の後端部８１までの長さが約２８ｍｍに設計してあるので、情報通信端末装置１とバッテリ拡張機能ユニット３７を配置しても転倒することなく、やはり安定に保持できる。
【００６２】
ところで、情報通信端末装置１はその携行性を向上する為に、より薄く軽量にする必要がある。使用者は携行時にその必要とする機能のみを搭載した情報通信端末装置１を持ち、使用時に必要とする拡張機能ユニットをクレードル４１に装填して使用すると、より利便性が向上する。
【００６３】
例えば、情報通信端末装置のＳＤカードスロットを除去し、バッテリもより短寿命のものにして、厚さ１０ｍｍ、重さ１Ｎ（約１００ｇｆ）とすると共に、その分拡張機能ユニットの機能を増やし厚さ３０ｍｍ、重さ３Ｎ（約３００ｇｆ）のものを、本発明を適用した場合について、上記同様に検討する。
この場合数２によるＮはＮ≒１５ｍｍとなるので、前述のバッテリ拡張機能ユニット３７を装着した場合と同じく、転倒することなく、やはり安定に保持できる。
【００６４】
しかし、クレードル４１を非常に小さな架台で設置できるように、前縁８０から後端部８１までの長さを５０ｍｍにすると、前述したように交点７４からクレードル４１の後端部８１までの長さが約８ｍｍ程度になる。このようなクレードルに前述のような、情報通信端末装置の厚さ１０ｍｍ、重さ１Ｎ（約１００ｇｆ）と機能を増やした拡張機能ユニットの厚さ３０ｍｍ、重さ３Ｎ（約３００ｇｆ）を搭載すると、Ｎ≒１５ｍｍに対し、交点７４からクレードル４１の後端部８１までの長さが約８ｍｍしかないので、この場合はクレードルが転倒して使用不能になる。すなわち、交点７４からクレードル４１の後端部８１までの長さをＳとすると、
Ｓ＞Ｎ    （数4）
数４の関係を有するクレードルと情報通信端末装置と拡張機能ユニットでなければならない。このような関係で寸法と重量関係の仕様は設計可能であるから、本発明は情報通信端末装置とその拡張機能ユニットをクレードルで保持するに好適であることは明らかであろう。
【００６５】
以上述べたように、拡張機能ユニットの構造より、本実施例で説明した拡張機能ユニット例以外の拡張機能ユニットにおいても当然のことではあるが、拡張するその機能によって部品の構造、形状、厚さ等が異なっても、本発明を有効に適用できる。
【００６６】
そして、本発明においては、拡張機能で部品の構造、形状、厚さ、重さ等が異なる拡張機能ユニットにおいても、拡張機能ユニット背面ケース２５を共用化し、各々、部品の構造、形状の相違による厚さを各々の拡張ユニット上ケースの最適構造で対応し、機能拡張を図れるように構成できるものである。また、クレードル４１への装着時も情報通信端末装置１の凹溝３０ａ、３０ｂとクレードル勘合リブの凸部４６ａ、４６ｂをガイドにして結合保持する構成よりなり、各種機能拡張ユニットの厚さや重量が異なっても、前記の数３の条件を満足すれば厚さ方向の制約が無く、機能に応じた最適サイズの拡張機能ユニットの設計が為し得るものである。
【００６７】
【発明の効果】
本発明によれば、拡張する機能により部品の構造、形状、厚さ等が異なってくるものであるが、拡張機能ユニット背面ケースを共用化し、各々、拡張する部品の構造、形状の相違による厚さを各々の拡張ユニット上ケースの最適構造で対応し、機能拡張を図れるように構成できるものである。また、クレードル本体への装着時も情報通信端末装置の凹溝とクレードル勘合リブをガイドにして結合保持する構成よりなり、各種機能拡張ユニットの厚さの制約が従来以上に緩和され、情報通信端末装置の携行性と利便性の著しい向上を提供できる。
【図面の簡単な説明】
【図１】本発明の情報通信端末装置の前面斜め上方から見た斜視外観図。
【図２】本発明の情報通信端末装置の裏面下方から見た斜視外観図。
【図３】本発明の情報通信端末装置の裏面上方から見た斜視外観図。
【図４】本発明の情報通信端末装置の長手方向断面図。
【図５】本発明の情報通信端末装置の幅方向断面図。
【図６】本発明のＣＦカード拡張機能ユニット２３の斜視図、
【図７】本発明のＣＦカード拡張機能ユニットの長手方向断面図。
【図８】本発明のＣＦカード拡張機能ユニットの幅方向断面図。
【図９】本発明のＣＦカード拡張機能ユニットと情報通信端末装置の幅方向断面図。
【図１０】本発明のＰＣカード拡張機能ユニット３３の斜視図、
【図１１】本発明のＰＣカード拡張機能ユニットの断面要部詳細図。
【図１２】本発明のバッテリ拡張機能ユニットの斜視図。
【図１３】本発明のバッテリ拡張ユニットの断面要部詳細図。
【図１４】本発明のクレードルの斜視図
【図１５】本発明のクレードル本体に情報通信端末装置本体をセットした使用状態図。
【図１６】本発明の情報通信端末装置にＣＦカード拡張ユニットを装着した上、クレードル本体にセットした使用状態図
【図１７】図１６の状態における断面要部詳細図。
【図１８】図１６のＣ−Ｃ断面図
【図１９】他のクレードルの実施例
【符号の説明】
１・・・情報通信端末装置、２・・・タブレット、３・・・ペン、４・・・ＬＣＤ、５・・・前面ケース、６・・・裏面ケース、７・・・フレーム、８・・・制御基板、９・・・アンテナケース、１０・・・電源スイッチ、１１・・・充電ＬＥＤ、１２・・・内蔵バッテリ、１３・・・アラームＬＥＤ、１４・・・ジョグダイヤル、１５・・・キャンセルボタン、１６・・・ＳＤカードスロット、１７・・・ホールドボタン、１８・・・ヘッドフォンジャック、１９・・・クレードル接続用コネクタ、２０・・・ＤＣジャック、２１・・・ＵＳＢコネクタ、２２・・・拡張機能ユニット接続用コネクタ、２３・・・ＣＦカード拡張機能ユニット、２４・・・ＣＦカード拡張機能ユニットの上ケース、２５・・・拡張機能ユニットの背面ケース、２６・・・ＣＦコネクタ基板、２７・・・ＣＦカードコネクタ、２８・・・補助バッテリ、２９・・・拡張機能ユニットコネクタ、３０ａ、３０ｂ・・・情報通信端末装置１の側面の凹溝、３１ａ、３１ｂ・・・ＣＦカード拡張機能ユニット上ケースの凸部、３２ａ，３２ｂ・・・情報通信端末装置１の側面の凹溝でクレードル勘合用凹溝、３３・・・ＰＣカード拡張機能ユニット、３４・・・ＰＣカードコネクタ基板、３５・・・ＰＣカードコネクタ、３６・・・ＰＣカード拡張機能ユニット３３の上ケース、３７・・・バッテリ拡張機能ユニット、３８・・・バッテリ拡張基板、３９・・・バッテリ、４０・・・バッテリ拡張機能ユニットの上ケース、４１・・・クレードル、４２・・・クレードルケース、４３・・・クレードルカバー、４４・・・クレードル基板、４５・・・クレードルコネクタ、４６ａ、４６ｂ・・・クレードル勘合リブの凸部、４７・・・クレードルケース４２のＵＳＢケーブル、４８・・・ＵＳＢコネクタ、４９・・・ＤＣジャック、５０ａ、５０ｂ・・・係止部、５１ａ、５１ｂ・・・情報通信端末装置１の側面、５３ａ、５３ｂ・・・凹溝３０ａ、３０ｂの開口部、５４・・・情報通信端末装置の上部、５５・・・情報通信端末装置の下部、６１ａ、６１ｂ・・・ＰＣカード拡張機能ユニット上ケースの凸部、７１ａ、７１ｂ・・・バッテリ拡張機能ユニット上ケースの凸部、７３・・・クレードル４１の底面、７４・・・情報通信端末装置１の重心垂線とクレードル４１の底面７３の交点、  ８０・・・クレードル４１を机上に接置した時の底面７３の使用者側の前縁、８１・・・クレードル４１を机上に接置した時の底面７３の前縁に対向した後端部、８２・・・クレードルケース４２の後部を延ばした例の後端部、８３・・・滑り止め用足
【図１】
0003912108.tif 000004
【図２】
0003912108.tif 000005
【図３】
0003912108.tif 000006
【図４】
0003912108.tif 000007
【図５】
0003912108.tif 000008
【図６】
0003912108.tif 000009
【図７】
0003912108.tif 000010
【図８】
0003912108.tif 000011
【図９】
0003912108.tif 000012
【図１０】
0003912108.tif 000013
【図１１】
0003912108.tif 000014
【図１２】
0003912108.tif 000015
【図１３】
0003912108.tif 000016
【図１４】
0003912108.tif 000017
【図１５】
0003912108.tif 000018
【図１６】
0003912108.tif 000019
【図１７】
0003912108.tif 000020
【図１８】
0003912108.tif 000021
【図１９】
0003912108.tif 000022